(57)【要約】【課題】海水エアレーション槽において煙道ガスと海水とを接触させて煙道ガスに含まれる二酸化硫黄を除去する際に分流海水の液面に発生する海水泡を制御できる装置を提供する。【解決手段】泡制御装置が、エアレーションファン（６２）と、このエアレーションファン（６２）に流体的に接続された海水エアレーション槽（５６）とを備え、エアレーションファン（６２）は、酸素を含むガスを海水エアレーション槽（５６）内の分流海水へ吹き込み、かつ、海水エアレーション槽（５６）内の分流海水の液面（８２）から泡を吸引するように構成されている。【選択図】図１
2015058430.tif 000002
【特許請求の範囲】
【請求項１】
エアレーションファン（６２）と、該エアレーションファン（６２）に流体的に接続された海水エアレーション槽（５６）とを備え、
前記エアレーションファン（６２）は、酸素を含むガスを前記海水エアレーション槽（５６）内の分流海水へ吹き込み、かつ、前記海水エアレーション槽（５６）内の前記分流海水の液面（８２）から泡を吸引するように構成されている
ことを特徴とする泡制御装置。
【請求項２】
さらに、前記分流海水の液面（８２）から吸引される泡を収集する泡収集タンク（９８）が設けられている、請求項１記載の装置。
【請求項３】
吸引された泡は重金属を含む、請求項１記載の装置。
【請求項４】
吸引された泡は水銀を含む、請求項１記載の装置。
【請求項５】
吸引された泡は重金属を含み、前記吸引された泡は、泡収集タンク（９８）内で、前記重金属の少なくとも一部が除去されるように処理される、請求項１記載の装置。
【請求項６】
吸引された泡は重金属を含み、前記吸引された泡は、処理前の貯蔵のために泡収集タンク（９８）に収集される、請求項１記載の装置。
【請求項７】
吸引された泡は重金属を含み、前記吸引された泡は他の場所での処理を目的とした輸送の前に泡収集タンク（９８）に収集される、請求項１記載の装置。
【請求項８】
前記エアレーションファン（６２）を用いた泡の吸引は、連続で、又は、設定周期で、又は、検出器で開始される「オンデマンド」周期で、又は、他の非連続的手法で、制御される、請求項１記載の装置。
【請求項９】
エアレーションファン（６２）と、該エアレーションファン（６２）に流体的に接続される海水エアレーション槽（５６）とを設け、
前記エアレーションファン（６２）により、酸素を含むガスを前記海水エアレーション槽（５６）内の分流海水へ吹き込み、かつ、前記海水エアレーション槽（５６）内の前記分流海水の液面（８２）から泡を吸引する
ことを特徴とする泡制御方法。
【請求項１０】
さらに、前記分流海水の液面（８２）から吸引される泡を収集する泡収集タンク（９８）を設ける、請求項９記載の方法。
【請求項１１】
吸引された泡は重金属を含む、請求項９記載の方法。
【請求項１２】
吸引された泡は水銀を含む、請求項９記載の方法。
【請求項１３】
吸引された泡は重金属を含み、該重金属の少なくとも一部が除去されるように前記吸引された泡を処理する、請求項９記載の方法。
【請求項１４】
吸引された泡は重金属を含み、処理のために、又は、他の場所での処理を目的とした輸送の前の貯蔵のために、前記吸引された泡を泡収集タンク（９８）に収集する、請求項９記載の方法。
【請求項１５】
前記エアレーションファン（６２）を用いた泡の吸引を、連続で、又は、設定周期で、又は、検出器で開始される「オンデマンド」周期で、又は、他の非連続的手法で、制御する、請求項９記載の方法。
【発明の詳細な説明】
【技術分野】
【０００１】
本発明は、海水ベースの煙道ガス脱硫装置の海水エアレーション槽の分流海水を処理する間に発生する、重金属を含む泡を除去する方法に関する。
【０００２】
本発明はさらに、海水ベースの煙道ガス脱硫装置の海水エアレーション槽の分流海水を処理する間に発生する、重金属を含む泡を除去する装置に関する。
【背景技術】
【０００３】
多くの工業処理過程において、二酸化硫黄ＳＯ２を含む処理ガスが発生する。そうした工業処理過程の１つに、燃焼プラントにおける燃料の燃焼、例えば、パワープラントにおける石炭、石油、泥炭、廃棄物等の燃焼が挙げられる。こうしたパワープラントでは、しばしば煙道ガスと称される高温処理ガスが生じる。煙道ガスは、種々の汚染物質、例えば二酸化硫黄ＳＯ２などの酸性ガスを含んでいる。煙道ガスに含まれる酸性ガスは、周囲空気へ放出される前にできるだけ取り除いておかなければならない。また、汚染物質を含む処理ガスを発生させる工業処理過程の別の例として、酸化アルミニウムからアルミニウムを電解生成する過程も挙げられる。この処理過程においても、二酸化硫黄ＳＯ２を含む処理ガスもしくは煙道ガスが電解槽の換気フードに生じる。
【０００４】
ＷＯ２００８／１０５２１２には、ボイラと蒸気タービン装置と煙道ガスの脱硫のための海水集塵装置とを含むボイラシステムが示されている。ボイラは燃料の燃焼によって高圧蒸気を形成し、この高圧蒸気が蒸気タービン装置内で使用されて電力が形成される。ここでは海水が海洋から収集され、蒸気タービン装置の凝縮器において冷却媒体として用いられる。その後、海水は、海水ベースの煙道ガス脱硫装置の集塵器において、ボイラで生じた煙道ガスから二酸化硫黄ＳＯ２を吸収するために用いられる。二酸化硫黄ＳＯ２は海水ベースの煙道ガス脱硫装置の集塵器内で海水に接触して吸収され、亜硫酸イオン及び／又は重亜硫酸イオンを発生する。海水ベースの煙道ガス脱硫装置の集塵器からの分流海水は処理のために海水エアレーション槽へ輸送される。海水エアレーション槽では、気泡化された空気が酸化のための海水ベースの煙道ガス脱硫装置の集塵器から輸送される分流海水を通り、亜硫酸イオン及び／又は重亜硫酸イオンが不活性の硫酸イオンへと酸化される。亜硫酸イオン及び／又は重亜硫酸イオンは、気泡化された空気に含まれる酸素ガスによって酸化され、硫酸イオンとなる。得られた不活性の硫酸イオンは分流海水ととともに海洋へ戻される。
【０００５】
海水エアレーション槽での分流海水の処理に関する問題として、分流海水の液面に泡が生じることが挙げられる。今日、分流海水の液面のこうした泡は典型的には海洋へ戻されている。しかし、ここで生じている泡は比較的高濃度の重金属を含んでおり、そのまま海洋へ戻すのには適していない。海水エアレーション槽の分流海水の泡を制御して、重金属が海洋へ戻されるのを低減もしくは回避する方法及び装置が望まれている。
【先行技術文献】
【特許文献】
【０００６】
【特許文献１】ＷＯ２００８／１０５２１２
【特許文献２】ＵＳ４５０２８７２
【特許文献３】ＵＳ４３３６０３５
【発明の概要】
【発明が解決しようとする課題】
【０００７】
本発明の課題は、海水エアレーション槽において煙道ガスと海水とを接触させて煙道ガスに含まれる二酸化硫黄を除去する際に分流海水の液面に発生する海水泡を制御できる装置を提供することである。
【課題を解決するための手段】
【０００８】
この課題は、海水エアレーション槽においてエアレーションファンを用いることによって解決される。エアレーションファンの高圧側すなわちブロワ側は、空気を海水エアレーション槽内の分流海水へ吹き込むために用いられる。さらに、エアレーションファンの低圧側すなわち吸引側にダクト構造が設けられており、これにより、海水エアレーション槽内で処理中の分流海水の液面から泡が吸引され、貯蔵乃至処理乃至環境にとって害がないように廃棄される。
【図面の簡単な説明】
【０００９】
【図１】本発明の装置を備えたパワープラントの概略的な部分図である。
【図２】図１の海水ベースの煙道ガス脱硫装置の海水エアレーション槽の概略的な拡大図である。
【発明を実施するための形態】
【００１０】
本発明の装置の利点は、上述した課題を、運転及び／又は設備に関する最小の付加コストで達成できることである。エアレーションファンの低圧側のエネルギの一部を利用することにより、高圧ブロワの効率損失を最小化できる。また、多くの適用分野において、本発明の装置を非連続モードで運転するのみで、泡制御を実現できる。本発明の装置を非連続モードで運転することにより、エアレーションファンの効率損失及びこれに付随するコストを低減できる。
【００１１】
本発明の別の課題として、海水エアレーション槽において煙道ガスと海水とを接触させて煙道ガスに含まれる二酸化硫黄を除去する際に分流海水の液面に発生する海水泡を制御できる方法を提供することが挙げられる。この課題は、海水エアレーション槽においてエアレーションファンを用いることによって解決される。エアレーションファンの高圧側すなわちブロワ側は、空気を海水エアレーション槽内の分流海水へ吹き込むため、又は、分流海水のエアレーションのために用いられる。さらに、エアレーションファンの低圧側すなわち吸引側にはダクト構造が設けられ、これにより、海水エアレーション槽内の分流海水の液面から泡が吸引され、貯蔵乃至処理乃至環境にとって害がないように廃棄される。
【００１２】
本発明の方法の利点は、上述した課題を、運転及び／又は資本に関する最小の付加コストで達成できることである。エアレーションファンの低圧側のエネルギの一部を利用することにより、高圧ブロワの効率損失を最小化できる。また、多くの適用分野において、本発明の装置を非連続モードで運転するのみで、泡制御を実現できる。本発明の装置を非連続モードで運転することにより、エアレーションファンの効率損失及びこれに付随するコストを低減できる。
【００１３】
まとめると、本発明は、煙道ガス脱硫装置に属する海水エアレーション槽における分流海水のエアレーション中に、分流海水の液面に発生する、重金属を含む海水泡を制御できる装置及び方法を提供することに関連する。
【００１４】
本発明の泡制御装置は、エアレーションファンと、このエアレーションファンに流体的に接続された海水エアレーション槽とを備え、エアレーションファンは、酸素を含むガスを海水エアレーション槽内の分流海水へエアレーションのために吹き込み、かつ、海水エアレーション槽内の分流海水の液面から泡を吸引するように構成されている。エアレーションファンを用いた分流海水からの泡の吸引は、連続で、又は、設定周期で、又は、検出器で開始される「オンデマンド」周期で、又は、他の非連続的手法で、制御される。さらに、分流海水の液面から吸引される泡を収集し、貯蔵し、付加的に処理する泡収集タンクが用いられる。吸引される泡は重金属、例えば水銀を含み、泡収集タンクでの泡の処理は重金属の少なくとも一部の除去を含む。このために、吸引された泡は、処理の前後に、所定の時間にわたって泡収集タンクに貯蔵される。これに代えて、吸引された泡が、他の場所での処理を目的とした輸送の前に泡収集タンクに収集され、付加的に所定の時間にわたって貯蔵されてもよい。
【００１５】
さらに本発明は、煙道ガス脱硫装置に属する海水エアレーション槽における分流海水のエアレーション中に分流海水の液面に発生する、重金属を含む海水泡を制御できる方法を提供することに関連する。本発明の泡制御方法では、エアレーションファンと、このエアレーションファンに流体的に接続された海水エアレーション槽とが設けられ、エアレーションファンにより、酸素を含むガスが海水エアレーション槽内の分流海水へエアレーションのために吹き込まれ、かつ、海水エアレーション槽内の分流海水の液面から、水銀などの重金属を含む泡が吸引される。エアレーションファンを用いた分流海水からの泡の吸引は、連続で、又は、設定周期で、又は、検出器で開始される「オンデマンド」周期で、又は、他の非連続的手法で、制御される。さらに、分流海水の液面から吸引される泡を収集し、貯蔵し、付加的に処理する泡収集タンクが用いられる。吸引される泡は重金属、例えば水銀を含み、泡収集タンクでの泡の処理は重金属の少なくとも一部を除去することを含む。このために、吸引された泡は、処理の前後に、所定の時間にわたって泡収集タンクに貯蔵される。これに代えて、吸引された泡が、他の場所での処理を目的とした輸送の前に泡収集タンクに収集され、付加的に所定の時間にわたって貯蔵されてもよい。
【００１６】
以下に、本発明を添付の図に即して詳細に説明する。
【実施例】
【００１７】
図１には、パワープラント１０の概略図が示されている。パワープラント１０はボイラ１２を含み、このボイラ１２には、石炭、石油などの燃料Ｆが、燃料源１４から、流体的に接続された燃料供給管１６を介して燃焼のために供給される。ここで、酸素源１８から流体的に接続された酸素供給管２０を介して酸素Ｏがボイラ１２へ供給される場合に、燃料Ｆがボイラ１２内で燃焼される。ボイラ１２へ供給される酸素Ｏは、例えば、空気の状態で、及び／又は、酸素ガスとパワープラント１０を再循環された煙道ガスＦＧとの混合ガスの状態で、供給される。この場合、ボイラ１２はいわゆる「酸化燃料」ボイラである。燃料Ｆの燃焼により、煙道ガスＦＧの形態の高温処理ガスが発生する。燃料Ｆに含まれる硫黄種は、燃料Ｆの燃焼に応じて、二酸化硫黄ＳＯ２を生じさせる。このため、パワープラント１０の煙道ガスＦＧは二酸化硫黄の成分を含む。
【００１８】
発生した煙道ガスＦＧは、ボイラ１２から、流体的に接続されたダクト２２を介して、繊維フィルタもしくは静電集塵器の形態の粒子収集装置２４へ流入する。静電集塵器の形態の粒子収集装置２４は例えばＵＳ４５０２８７２に示されており、これは煙道ガスＦＧ中の塵芥粒子の除去に用いられている。対して、繊維フィルタは例えばＵＳ４３３６０３５に示されており、これも煙道ガスＦＧから塵芥粒子を除去収集するために用いられている。また、これらに代わる実施例として、粒子収集装置２４を海水ベースの煙道ガス脱硫装置２８の下流に配置することもできる。さらに別の実施例として、粒子収集装置２４をシステムから除き、海水ベースの煙道ガス脱硫装置２８のみで粒子除去を行ってもよい。
【００１９】
図１の実施例によれば、塵芥粒子の大部分が除去された煙道ガスＦＧは、粒子収集装置２４から、流体的に接続されたダクト２６を介して、海水ベースの煙道ガス脱硫装置２８へ流入する。海水ベースの煙道ガス脱硫装置２８は湿性集塵塔又は吸収装置３０を含む。ここで、吸収装置３０の低部３４に流入口３２が設けられている。ダクト２６は流入口３２に流体的に接続されているので、煙道ガスＦＧは、粒子収集装置２４からダクト２６を通り、流入口３２を介して吸収装置３０の内部３６へ流入する。
【００２０】
煙道ガスＦＧは内部３６へ流入した後、吸収装置３０を通って垂直に上方へ、矢印ＦＧで示されているように流れる。吸収装置３０の中央部３８には散布装置４０が上下方向に複数個設けられている。わかりやすくするために、図１では３つの散布装置４０のみを示しているが、付加的な散布装置４０を設けることもできる。典型的には１個から２０個の散布装置４０が吸収装置３０内に設けられる。各散布装置４０は、供給管４２と、この供給管４２に流体的に接続された複数のノズル４４とを含む。海水ＳＷは、個々の供給管４２を介して流れ、ノズル４４によって霧化されて、吸収装置３０の内部３６で煙道ガスＦＧに接触する。これにより、下方へ流れる海水ＳＷと上方へ流れる煙道ガスＦＧとが吸収装置３０の内部３６で接触し、煙道ガスＦＧから海水ＳＷへ二酸化硫黄ＳＯ２が吸収される。
【００２１】
ポンプ４６は、流体的に接続された吸込管４８を介して海水供給部もしくは海洋５０から海水ＳＷをポンピングするために配置されており、流体的に接続された圧力管５２を介して海水ＳＷを供給管４２へ圧送する。
【００２２】
これに代えて、ポンプ４６によって供給管４２へ供給される海水ＳＷが、ボイラ１２に関連する図示されていない蒸気タービンシステムにおいて、吸収装置３０への供給前に冷却水として先行して使用された海水であってもよい。
【００２３】
別の実施例として、海水ベースの煙道ガス脱硫装置２８は、吸収装置３０の内部３６に配置された１つもしくは複数のパッケージ層５８を含んでもよい。パッケージ層５８は、プラスティック、鋼、木材その他、ガスと液体との接触性を高めるのに適した材料から製造できる。ノズル４４が海水ＳＷをパッケージ層５８の上方で散布するのみであって、海水ＳＷが霧化されないケースも可能である。パッケージ層５８の例として、スイス国ヴィンタートゥーア在スルツァーヒェミテクアーゲー社のMellapak(TM)、ドイツ国ルートヴィヒスハーフェン在ラシクゲーエムベーハー社のPall(TM)などが挙げられる。
【００２４】
海水ＳＷは吸収装置３０の内部３６のノズル４４を介して霧化されて吸収装置３０の下方へ流れ、吸収装置３０の内部３６を垂直に上がってきた煙道ガスＦＧから二酸化硫黄を吸収する。吸収装置内部３６での海水ＳＷによる二酸化硫黄の吸収により、分流海水ＥＳが吸収装置３０の低部３４に収集される。吸収装置３０の低部３４に収集された分流海水ＥＳは分流管５４を介して海水エアレーション槽５６へ供給される。
【００２５】
付加的に、必要に応じて、新鮮海水ＳＷを、分流管５４を介して海水エアレーション槽５６へ供給される分流海水ＥＳへ加えることができる。このために、圧力管５２に流体的に接続された管６０により、新鮮海水ＳＷを、流体的に接続された分流管５４、ひいては、海水エアレーション槽５６へ輸送できる。この場合、新鮮海水ＳＷと分流海水ＥＳとの混合は、分流管５４内で行われる。図示されていない付加的な選択肢として、管６０を介して新鮮海水ＳＷを直接に海水エアレーション槽５６へ輸送し、そこで分流海水ＥＳと混合してもよい。さらに、図示されていない別の選択肢として、ボイラもしくは図示されていない蒸気タービンで生じた残留水及び／又は凝縮物を、海水エアレーション槽５６内で分流海水ＥＳと混合することもできる。
【００２６】
吸収装置３０の内部３６での二酸化硫黄の吸収は次式にしたがって行われると仮定される。
ＳＯ２（ｇ）＋Ｈ２Ｏ＝＞ＨＳＯ３−（ａｑ）＋Ｈ＋（ａｑ）          ［式１．１ａ］
重亜硫酸イオンＨＳＯ３−は、分流海水ＥＳのｐＨ値に依存して解離し、次式の平衡反応にしたがって、亜硫酸イオンＳＯ３２−を形成する。
ＨＳＯ３−（ａｑ）＜＝＞ＳＯ３２−（ａｑ）＋Ｈ＋（ａｑ）          ［式１．１ｂ］
したがって、分流海水ＥＳは、二酸化硫黄の吸収作用、ひいては、二酸化硫黄の吸収時に発生する水素イオンＨ＋の効果として、海洋５０の新鮮海水ＳＷよりも低いｐＨ値を有し、重亜硫酸イオンＨＳＯ３−及び／又は亜硫酸イオンＳＯ３２−を含む。重亜硫酸イオン及び／又は亜硫酸イオンは酸素を要する物質であり、海洋５０への放出は制限されている。
【００２７】
海水エアレーション槽５６では、重亜硫酸イオンＨＳＯ３−及び／又は亜硫酸イオンＳＯ３２−が、同じ酸素Ａで、次式の反応にしたがって酸化される。
ＨＳＯ３−＋Ｈ＋＋１／２Ｏ２（ｇ）＝＞ＳＯ４２−＋２Ｈ＋          ［式１．２ａ］
ＳＯ３２−＋２Ｈ＋＋１／２Ｏ２（ｇ）＝＞ＳＯ４２−＋２Ｈ＋        ［式１．２ｂ］
海水エアレーション槽５６は、流体的に接続されたダクト構造６４を介して空気などの酸素含有ガスを分流海水ＥＳへ吹き込むように構成されたエアレーションファン６２を含む。エアレーションファン６２及びダクト構造６４は、酸素Ａを海水エアレーション槽５６内の分流海水ＥＳへ供給する酸素供給装置６６を形成している。海水エアレーション槽５６の詳細については図２に即して後述する。
【００２８】
図２には、海水エアレーション槽５６の詳細図が示されている。分流海水ＥＳは、流体的に接続された分流管５４を介して、エアレーションシステム８０の一部である海水エアレーション槽５６の流入側すなわち第１の端部９０へ供給される。分流海水ＥＳは、矢印Ｓで示されているようにおおよそ水平方向で、第１の端部９０から、海水エアレーション槽５６の流出側である第２の端部９２へと流れる。分流海水ＥＳが第１の端部９０から第２の端部９２へ流れる際に、第２の端部９２の近傍で分流海水ＥＳの液面８２に泡ＨＭが生じる。泡ＨＭは高濃度の重金属、例えば水銀などを含む。第２の端部９２では、処理海水ＴＳが海水エアレーション槽５６から流体的に接続された排出管６８を介して排出される。
【００２９】
エアレーションシステム８０はさらに、エアレーションファン６２及びダクト構造６４を含む酸素供給装置６６を有する。ダクト構造６４は海水エアレーション槽５６の内部８４に複数のダクト口９４を備えている。エアレーションファン６２により、酸素Ａが、ダクト構造６４を介して、海水エアレーション槽５６の分流海水ＥＳの液面８２下方のダクト口９４から吹き込まれる。ダクト構造６４は、海水エアレーション槽５６に沿って、第１の端部９０と第２の端部９２との間に延在している。エアレーションファン６２の高圧側８６から吹き込まれた酸素Ａはダクト口９４から放出され、海水エアレーション槽５６内で分流海水ＥＳと混合される。酸素Ａは分散されて分流海水ＥＳと混合され、これにより、海水中に存在している重亜硫酸イオン及び／又は亜硫酸イオンが不活性の硫酸イオンへ酸化される。その後で処理海水ＴＳが排出管６８を介して海洋５０へ環境放出される。
【００３０】
上述したように、分流海水ＥＳは、矢印Ｓで示されているようにおおよそ水平方向で、第１の端部９０から、海水エアレーション槽５６の流出側である第２の端部９２へと流れる。分流海水ＥＳが第１の端部９０から第２の端部９２へ流れる際に、渦流化及びエアレーションによって泡ＨＭが生じ、分流海水の液面８２に浮かんでくる。つまり、分流海水ＥＳが第１の端部９０から第２の端部９２へ流れる作用として生じる泡ＨＭが、第２の端部９２の近傍で収集される。泡ＨＭは水銀などの比較的高濃度の重金属を含む。
【００３１】
泡ＨＭが海水エアレーション槽５６から排出管６８を介して海洋５０へ流出してしまうのを回避するために、ファン低圧側８８すなわち吸引側は、吸入ダクト９６を介して泡吸収タンク９８へ流体的に接続されている。また、泡ダクト１００が流出口１０２を介して泡収集タンク９８に流体的に接続されている。泡ダクト１００の流出口１０２の反対側は自由開放端部１０４である。泡ダクト１００の自由開放端部１０４は、エアレーションファン６２での吸引によって液面８２から泡ＨＭを除去するように構成されている。液面８２から除去された泡ＨＭは泡収集タンク９８に収集され、廃棄まで貯蔵乃至処理される。エアレーションファン６２を用いた泡ＨＭの収集は、連続で、又は、設定周期で、又は、検出器で開始される「オンデマンド」周期で、又は、他の非連続的手法で、制御される。
【００３２】
選択的実施例として、泡収集タンク９８に収集された泡ＨＭを処理して、高濃度の泡から重金属の少なくとも一部を除去し、処理泡ＴＦを放出することもできる。この場合、処理泡ＴＦは泡収集タンク９８から流体的に接続された処理泡管１０６を介して流体的に接続された排出管６８へ放出され、当該処理泡ＴＦが海洋５０へ戻される。
【００３３】
これに代えて、泡収集タンク９８に収集された泡ＨＭを、図示されていない付加的なパワープラント１０の要素へ輸送し、高濃度の重金属の少なくとも一部を除去した後、処理泡ＴＦを放出するか、又は、処理泡ＴＦをパワープラント１０の他の要素もしくは他の場所で使用することができる。
【００３４】
まとめると、本発明は、煙道ガス脱硫装置に属する海水エアレーション槽における分流海水のエアレーション中に、分流海水の液面に発生する、重金属を含む海水泡を制御できる装置及び方法を提供することに関連する。
【００３５】
本発明の泡制御装置は、エアレーションファンと、このエアレーションファンに流体的に接続された海水エアレーション槽とを備え、エアレーションファンは、酸素を含むガスを海水エアレーション槽内の分流海水へエアレーションのために吹き込み、かつ、海水エアレーション槽内の分流海水の液面から泡を吸引するように構成されている。エアレーションファンを用いた分流海水の液面からの泡の吸引は、連続で、又は、設定周期で、又は、検出器で開始される「オンデマンド」周期で、又は、他の非連続的手法で、制御される。さらに、分流海水の液面から吸引される泡を収集し、貯蔵し、付加的に処理する泡収集タンクが用いられる。吸引される泡は重金属、例えば水銀を含み、泡収集タンクでの泡の処理は重金属の少なくとも一部の除去を含む。このために、吸引された泡は、処理の前後に、所定の時間にわたって泡収集タンクに貯蔵される。これに代えて、吸引された泡が、他の場所での処理を目的とした輸送の前に泡収集タンクに収集され、付加的に所定の時間にわたって貯蔵されてもよい。
【００３６】
さらに本発明は、煙道ガス脱硫装置に属する海水エアレーション槽における分流海水のエアレーション中に、分流海水の液面に発生する、重金属を含む海水泡を制御できる方法を提供することに関連する。本発明の泡制御方法では、エアレーションファンと、このエアレーションファンに流体的に接続された海水エアレーション槽とが設けられ、エアレーションファンにより、酸素を含むガスが海水エアレーション槽内の分流海水へエアレーションのために吹き込まれ、かつ、海水エアレーション槽内の分流海水の液面から泡が吸引される。エアレーションファンを用いた分流海水の液面からの泡の吸引は、連続で、又は、設定周期で、又は、検出器で開始される「オンデマンド」周期で、又は、他の非連続的手法で、制御される。さらに、分流海水の液面から吸引される泡を収集し、貯蔵し、付加的に処理する泡収集タンクが用いられる。吸引される泡は重金属、例えば水銀を含み、泡収集タンクでの泡の処理は重金属の少なくとも一部を除去することを含む。このために、吸引された泡は、処理の前後に、所定の時間にわたって泡収集タンクに貯蔵される。これに代えて、吸引された泡が、他の場所での処理を目的とした輸送の前に泡収集タンクに収集され、付加的に所定の時間にわたって貯蔵されてもよい。
【００３７】
本発明を幾つかの有利な実施例に則して説明したが、当業者は、本発明の観点から離れることなく、種々の修正を加えたり等価の要素と置換したりできることを理解されたい。また、本質的観点から離れることなく、特定の条件もしくは材料を本発明の教説に適合するように変更することもできる。つまり、上述した特定の実施例は本発明を実施するのに最も適した形態を説明するためのものであり、本発明はこれらのみに限定されるものではない。本発明は特許請求の範囲に記載されたコンセプトに該当する全ての実施形態を含む。なお、「第１の」「第２の」等の語は序列や種類を含意せず、単に個々の要素を区別するために付したものである。
【００３８】
上述した実施例の種々の修正は、特許請求の範囲の観点において可能である。
【符号の説明】
【００３９】
１０  パワープラント、  １２  ボイラ、  １４  燃料源、  １６  燃料供給管、  １８  酸素源、  ２０  酸素供給管、  ２２，２６  ダクト、  ２４  粒子収集装置、  ２８  煙道ガス脱硫装置、  ３０  吸収装置、  ３２  吸収装置の流入口、  ３４  吸収装置低部、  ３６  吸収装置内部、  ３８  吸収装置中央部、  ４０  散布装置、  ４２  供給管、  ４４  ノズル、  ４６  ポンプ、  ４８  吸込管、  ５０  海水供給部（海洋）、  ５２  圧力管、  ５４  分流管、  ５６  海水エアレーション槽、  ５８  パッケージ層、  ６０  管、  ６２  エアレーションファン、  ６４  ダクト構造、  ６６  酸素供給装置、  ６８  排出管、  ８０  エアレーションシステム、  ８２  液面、  ８４  槽内部、  ８６  ファン高圧側、  ８８  ファン低圧側、  ９０，９２  槽端部、  ９４  ダクト口、  ９６  吸入ダクト、  ９８  泡吸収タンク、  １００  泡ダクト、  １０２  流出口、  １０４  自由開放端部、  Ｆ  燃料、  Ｏ，Ａ  酸素、  ＦＧ  煙道ガス、  ＳＷ  新鮮海水、  ＥＳ  分流海水、  ＴＳ  処理海水、  ＨＭ  泡
【図１】
2015058430.tif 000003
【図２】
2015058430.tif 000004
【外国語明細書】
2015058430.tif 000005
2015058430.tif 000006
2015058430.tif 000007
2015058430.tif 000008
2015058430.tif 000009
2015058430.tif 000010
2015058430.tif 000011
2015058430.tif 000012
2015058430.tif 000013
2015058430.tif 000014
2015058430.tif 000015
2015058430.tif 000016
2015058430.tif 000017
2015058430.tif 000018
2015058430.tif 000019
2015058430.tif 000020
2015058430.tif 000021